(57)【要約】      （修正有）【課題】特定の人と特定の人との関係において、セキュリティの強化を図るとともに、人と人との結び付きを考慮して感情の元となる心を大切にした動画閲覧システムを提供する。【解決手段】動画閲覧システム１は、ユーザ３が保持する携帯電話機５と、携帯電話機５に保存されている動画データ７とリンクさせることが可能なＱＲコード（登録商標）９と、ＱＲコード９と関係付けられて動画データ７を保存する専用端末１１と、専用端末１１とアクセス可能な管理サーバ１３と、ユーザ１９が保持する携帯電話機１５と、ＱＲコード９とは対となりユーザ１９が携帯電話機１５を用いて管理サーバ１３にアクセスすることを可能とさせるＱＲコード１７とを備える。管理サーバ１３は携帯電話機１５に動画データを送信でき、ユーザ１９はユーザ３から送られる動画データ７を閲覧できてプレゼント２０の受け取りと共に喜びなどの感情を大きく感じられる。【選択図】図１
0003149786.tif 000002
【実用新案登録請求の範囲】
【請求項１】
印刷されたＱＲコードが第１ユーザの意思に基づき第２ユーザに送られる場合における動画閲覧システムであって、
前記第１ユーザが保持する第１携帯電話と、
前記第１携帯電話を保持する前記第１ユーザが前記第１携帯電話に保存されている所望の動画データとリンクさせることが可能な第１ＱＲコードと、
前記第１ＱＲコードと関係付けられて前記第１ユーザが所望する前記動画データを保存する特定情報処理端末と、
前記特定情報処理端末とアクセス可能な管理サーバとを備え、
前記管理サーバは、
当該特定情報処理端末から前記動画データを受信する受信部と、
前記受信した動画データを記憶する記憶部とを有し、
前記第２ユーザが保持する第２携帯電話と、
前記第１ＱＲコードとは対となる前記印刷されたＱＲコードであって前記第２携帯電話を保持する前記第２ユーザが前記第２携帯電話を用いて前記管理サーバにアクセスすることを可能とさせる第２ＱＲコードとをさらに備え、
前記管理サーバは、前記第２携帯電話に前記画像データを送信する送信部さらに有する、動画閲覧システム。
【請求項２】
印刷されたＱＲコードが第１ユーザの意思に基づき第２ユーザに送られる場合において、第１ＱＲコードを用いて第１携帯電話を保持する前記第１ユーザが前記第１携帯電話に保存されている所望の動画データとリンクさせ、前記第１ＱＲコードと関係付けられて前記第１ユーザが所望する前記動画データを特定情報処理端末に保存させ、当該特定情報処理端末とアクセス可能な管理サーバであって、
当該特定情報処理端末から前記動画データを受信する受信部と、
前記受信した動画データを記憶する記憶部とを備え、
前記第１ＱＲコードとは対となる前記印刷されたＱＲコードである第２ＱＲコードにより第２携帯電話を保持する前記第２ユーザが前記第２携帯電話を用いて前記管理サーバにアクセスすることを可能とさせ、
さらに、前記第２携帯電話に前記画像データを送信する送信部を備えた、管理サーバ。
【考案の詳細な説明】
【技術分野】
【０００１】
本考案は、動画閲覧システム及び管理サーバに関し、特にＱＲコードにより、携帯電話で動画をユーザが閲覧できるための動画閲覧システム及び管理サーバに関する。
【背景技術】
【０００２】
バーコードに加えて、近年、ＱＲコードが生まれ、携帯電話のカメラ機能を用いてコードを読み取り、ＵＲＬなどを認識してインターネットなどの情報通信ネットワーク上の情報にアクセスすることが可能になっている。技術水準を示すものの参考として、特許文献１を記載する。
【０００３】
【特許文献１】特開２００６−１５７８１５号公報
【考案の開示】
【考案が解決しようとする課題】
【０００４】
しかしながら、不特定多数の人々に見られることが前提の内容は例えばＱＲコードを用いてアクセス可能にしていることが通常ではあるが、特定の人が他の特定の人に見てもらいたい画像を送りたいと思えば、セキュリティの問題は極めて重要な課題と言える。
【０００５】
ゆえに、本考案は、例えばプレゼントを贈るような特定の人と特定の人との関係において、セキュリティの強化を図るとともに、人と人との結び付きを考慮して嬉しさ・楽しさ・悲しさ・喜びなどの感情の元となる心を大切にした動画閲覧システム及び管理サーバを提供することを目的とする。
【課題を解決するための手段】
【０００６】
請求項１に係る考案は、印刷されたＱＲコードが第１ユーザの意思に基づき第２ユーザに送られる場合における動画閲覧システムであって、前記第１ユーザが保持する第１携帯電話と、前記第１携帯電話を保持する前記第１ユーザが前記第１携帯電話に保存されている所望の動画データとリンクさせることが可能な第１ＱＲコードと、前記第１ＱＲコードと関係付けられて前記第１ユーザが所望する前記動画データを保存する特定情報処理端末と、前記特定情報処理端末とアクセス可能な管理サーバとを備え、前記管理サーバは、当該特定情報処理端末から前記動画データを受信する受信部と、前記受信した動画データを記憶する記憶部とを有し、前記第２ユーザが保持する第２携帯電話と、前記第１ＱＲコードとは対となる前記印刷されたＱＲコードであって前記第２携帯電話を保持する前記第２ユーザが前記第２携帯電話を用いて前記管理サーバにアクセスすることを可能とさせる第２ＱＲコードとをさらに備え、前記管理サーバは、前記第２携帯電話に前記画像データを送信する送信部さらに有するものである。
【０００７】
請求項２に係る考案は、印刷されたＱＲコードが第１ユーザの意思に基づき第２ユーザに送られる場合において、第１ＱＲコードを用いて第１携帯電話を保持する前記第１ユーザが前記第１携帯電話に保存されている所望の動画データとリンクさせ、前記第１ＱＲコードと関係付けられて前記第１ユーザが所望する前記動画データを特定情報処理端末に保存させ、当該特定情報処理端末とアクセス可能な管理サーバであって、当該特定情報処理端末から前記動画データを受信する受信部と、前記受信した動画データを記憶する記憶部とを備え、前記第１ＱＲコードとは対となる前記印刷されたＱＲコードである第２ＱＲコードにより第２携帯電話を保持する前記第２ユーザが前記第２携帯電話を用いて前記管理サーバにアクセスすることを可能とさせ、さらに、前記第２携帯電話に前記画像データを送信する送信部を備えたものである。
【考案の効果】
【０００８】
本考案によれば、印刷されたＱＲコードが第１ユーザの意思に基づき第２ユーザに送られる場合において、例えばプレゼントを贈るような特定の人と特定の人との関係において、第１ユーザ側の第１携帯電話に保存された動画が一対の第１ＱＲコードと第２ＱＲコード（印刷されたＱＲコード、例えばプレゼントとともに贈られるカードに印刷されたＱＲコード）が用いられ、特定情報処理端末を介し、管理サーバの管理のもとで、第２ユーザ側の第２携帯電話に送信されるので、第２ユーザは、特定のユーザとして、特定のユーザである第１ユーザからの動画を閲覧できる。したがって、セキュリティが強化されるだけでなく、特定のユーザ間で、人と人との結び付きを考慮して嬉しさ・楽しさ・悲しさ・喜びなどの感情の元となる心を大切にしたシステムが実現できる。
【０００９】
また、従来の技術では、ＱＲコードを用いて情報にアクセスする場合には、ＵＲＬなどの情報が示され、アドレスといったサーバに関する情報が明らかになっていた。このようなサーバに関する情報を見ることができるとすると、通常は問題とはなり難いが、悪意のある者が存在する場合もあり得、サーバを管理している立場からすれば情報の漏洩といった問題も起こり得る。しかし、この点についても、本考案は特定情報処理端末から管理サーバへのアクセスの状態をコントロールすることで解決できる。
【００１０】
さらに、従来の技術では、管理されたサーバそのものに、閲覧が予定されている画像などのデータをダイレクトに入力して保存する形態にすると、なんらのチェックもなされず不適切な画像データも取り込まれる可能性があり、それが閲覧されてしまうことも起こり得る。さらに、悪意者によって、画像データが改変されてしまうリスクもある。しかし、この点についても、本考案は特定情報処理端末から管理サーバへのアクセスの状態をコントロールすることで解決できる。
【考案を実施するための最良の形態】
【００１１】
図１は、本考案の実施の形態に係る動画閲覧システムの全体を示すブロック図である。
【００１２】
動画閲覧システム１は、携帯電話機５と、ＱＲコード９と、特定情報処理端末の一例の専用端末１１と、専用端末１１との間でアクセスが可能な管理サーバ１３と、携帯電話機１５と、ＱＲコード９と一対となるＱＲコード１７とを、備える。管理サーバ１３は、専用端末１１から動画データ７を受信する受信部１３ａと、受信した動画データ７を記憶する記憶部１３ｂと、携帯電話機１５に動画データ７を送信する送信部１３ｃとを有している。
【００１３】
携帯電話機５は、友人などの特定の人（ユーザ）１９へ動画メッセージを送りたいと考えている人（ユーザ）３が持っているものである。ＱＲコード９は、携帯電話機５に保存されているメッセージ動画となる動画データ７とリンクさせるものである。ユーザ１９は、携帯電話機１５を持っており、その携帯電話機１５は動画を閲覧できる機能を有している。
【００１４】
専用端末１１は、ショップ２１内に設置され、その店員２３が専用端末１１を操作する。店員２３は、ユーザ３についてユーザ登録（或いは携帯電話機の端末登録）を行い、携帯電話機５内の動画データ７を専用端末１１に保存して確認する。その確認は、以下のようにして行われる。まず、店員２３は、専用端末１１に取り込んだ動画の動作状態を確認し、その動画データ７をＱＲコード９とリンクさせた状態で管理サーバ１３に送る。管理サーバ１３では、受信部１３が動画データ７を受信し、記憶部１３ｂが動画データ７を記憶する。そして、店員は、必要であれば、ユーザ３の保持する携帯電話機、ショップ２１に設置した携帯電話機、又は専用端末１１を利用して、ＱＲコード９と対となって管理サーバ１３の記憶部１３ｂの動画データ７へのアクセスが可能なＱＲコード１７を用いて、管理サーバ１３の記憶部１３ｂに記憶された動画データ７にアクセスして閲覧が可能か否かを確認する。このような確認のうえで、店員２３は、ＱＲコード９と対となって管理サーバ１３の記憶部１３ｂの動画データ７へのアクセスが可能なＱＲコード１７が印刷されたメッセージカード２５をプレゼント２０といっしょにユーザ１９に配送する。
【００１５】
なお、専用端末１１は、本サービスに必要なサービス以外は行わないように例えば市販のアプリケーションソフトなどは入れられておらず、後からも取り込みができないようにされている。また、店員２３により動画データ７が無断で改変されてしまうことがないように、動画データ７の編集作業も原則的として行われないように制限がかけられている。
【００１６】
プレゼント２０を受け取ったユーザ１９は、友人などのユーザ３から送られてきたこと自体に喜ぶ上に、ここでは、携帯電話機１５を用いてメッセージカード２５に印刷されたＱＲコード１７を読み取ることで、管理サーバ１３にアクセスできる。そして、記憶部１３ｂの動画データ７が送信部１３ｃから携帯電話機１５に送られ、ユーザ１９は、友人などのユーザ３からのメッセージ動画を閲覧でき、その喜びをさらに大きなものとして感じることができる。その結果、友人関係のように特定の人と特定の人との間のコミュニケーションを心が通じ合える形にできる。
【００１７】
なお、上記では、ＱＲコードは、ユーザ３側に渡されるＱＲコード９とユーザ１９に渡されるＱＲコード１７とを対とし、基本的に同じ情報内容を表すコードとしているが、必ずしも全く同一コードである必要はない。例えば、ユーザ３にとってはユーザ登録も関係しているからである。
【００１８】
また、上記では、ＱＲコードは、ユーザ３側に渡されるＱＲコード９とユーザ１９に渡されるＱＲコード１７とを対としているが、全く同一のものとしてユーザ１９側に送られる一つのＱＲコードのみとしてもよい。
【００１９】
さらに、上記では、ショップ２１を挙げてギフトショップのようなイメージとしたが、クリスマス・バレンタインデー・誕生日・冠婚葬祭などの行事の際など、百貨店・チョコレートショップなどの菓子店・花屋・式場との関係で利用される様々なショップであってもよく、孫から遠方に住む祖父母などに送る葉書や手紙にＱＲコードが印刷されるようなシステムでもよい。
【００２０】
さらに、上記実施の形態では、ＱＲコードとの関係から携帯電話としたが、ＰＨＳのほか、パーソナルコンピュータ化が進んでおり、ＱＲコードの読み取り等の機能があれば、他のモバイル端末であってもよい。
【図面の簡単な説明】
【００２１】
【図１】本考案の実施の形態にかかる動画閲覧システムの全体を表すブロック図である。
【符号の説明】
【００２２】
１    動画閲覧システム
５    携帯電話機
９    ＱＲコード
１１    専用端末
１３    管理サーバ
１３ａ    受信部
１３ｂ    記憶部
１３ｃ    送信部
１５    携帯電話機
１７    ＱＲコード
【図１】
0003149786.tif 000003
【手続補正書】
【提出日】平成21年2月3日(2009.2.3)
【手続補正１】
【補正対象書類名】実用新案登録請求の範囲
【補正対象項目名】全文
【補正方法】変更
【補正の内容】
【実用新案登録請求の範囲】
【請求項１】
印刷されたＱＲコード（登録商標）が第１ユーザの意思に基づき第２ユーザに送られる場合における動画閲覧システムであって、
前記第１ユーザが保持する第１携帯電話と、
前記第１携帯電話を保持する前記第１ユーザが前記第１携帯電話に保存されている所望の動画データとリンクさせることが可能な第１ＱＲコード（登録商標）と、
前記第１ＱＲコード（登録商標）と関係付けられて前記第１ユーザが所望する前記動画データを保存する特定情報処理端末と、
前記特定情報処理端末とアクセス可能な管理サーバとを備え、
前記管理サーバは、
当該特定情報処理端末から前記動画データを受信する受信部と、
前記受信した動画データを記憶する記憶部とを有し、
前記第２ユーザが保持する第２携帯電話と、
前記第１ＱＲコード（登録商標）とは対となる前記印刷されたＱＲコード（登録商標）であって前記第２携帯電話を保持する前記第２ユーザが前記第２携帯電話を用いて前記管理サーバにアクセスすることを可能とさせる第２ＱＲコード（登録商標）とをさらに備え、
前記管理サーバは、前記第２携帯電話に前記画像データを送信する送信部さらに有する、動画閲覧システム。
【請求項２】
印刷されたＱＲコード（登録商標）が第１ユーザの意思に基づき第２ユーザに送られる場合において、第１ＱＲコード（登録商標）を用いて第１携帯電話を保持する前記第１ユーザが前記第１携帯電話に保存されている所望の動画データとリンクさせ、前記第１ＱＲコード（登録商標）と関係付けられて前記第１ユーザが所望する前記動画データを特定情報処理端末に保存させ、当該特定情報処理端末とアクセス可能な管理サーバであって、
当該特定情報処理端末から前記動画データを受信する受信部と、
前記受信した動画データを記憶する記憶部とを備え、
前記第１ＱＲコード（登録商標）とは対となる前記印刷されたＱＲコード（登録商標）である第２ＱＲコード（登録商標）により第２携帯電話を保持する前記第２ユーザが前記第２携帯電話を用いて前記管理サーバにアクセスすることを可能とさせ、
さらに、前記第２携帯電話に前記画像データを送信する送信部を備えた、管理サーバ。
【手続補正２】
【補正対象書類名】明細書
【補正対象項目名】全文
【補正方法】変更
【補正の内容】
【考案の詳細な説明】
【技術分野】
【０００１】
本考案は、動画閲覧システム及び管理サーバに関し、特にＱＲコード（登録商標）により、携帯電話で動画をユーザが閲覧できるための動画閲覧システム及び管理サーバに関する。
【背景技術】
【０００２】
バーコードに加えて、近年、ＱＲコード（登録商標）が生まれ、携帯電話のカメラ機能を用いてコードを読み取り、ＵＲＬなどを認識してインターネットなどの情報通信ネットワーク上の情報にアクセスすることが可能になっている。技術水準を示すものの参考として、特許文献１を記載する。
【０００３】
【特許文献１】特開２００６−１５７８１５号公報
【考案の開示】
【考案が解決しようとする課題】
【０００４】
しかしながら、不特定多数の人々に見られることが前提の内容は例えばＱＲコード（登録商標）を用いてアクセス可能にしていることが通常ではあるが、特定の人が他の特定の人に見てもらいたい画像を送りたいと思えば、セキュリティの問題は極めて重要な課題と言える。
【０００５】
ゆえに、本考案は、例えばプレゼントを贈るような特定の人と特定の人との関係において、セキュリティの強化を図るとともに、人と人との結び付きを考慮して嬉しさ・楽しさ・悲しさ・喜びなどの感情の元となる心を大切にした動画閲覧システム及び管理サーバを提供することを目的とする。
【課題を解決するための手段】
【０００６】
請求項１に係る考案は、印刷されたＱＲコード（登録商標）が第１ユーザの意思に基づき第２ユーザに送られる場合における動画閲覧システムであって、前記第１ユーザが保持する第１携帯電話と、前記第１携帯電話を保持する前記第１ユーザが前記第１携帯電話に保存されている所望の動画データとリンクさせることが可能な第１ＱＲコード（登録商標）と、前記第１ＱＲコード（登録商標）と関係付けられて前記第１ユーザが所望する前記動画データを保存する特定情報処理端末と、前記特定情報処理端末とアクセス可能な管理サーバとを備え、前記管理サーバは、当該特定情報処理端末から前記動画データを受信する受信部と、前記受信した動画データを記憶する記憶部とを有し、前記第２ユーザが保持する第２携帯電話と、前記第１ＱＲコード（登録商標）とは対となる前記印刷されたＱＲコード（登録商標）であって前記第２携帯電話を保持する前記第２ユーザが前記第２携帯電話を用いて前記管理サーバにアクセスすることを可能とさせる第２ＱＲコード（登録商標）とをさらに備え、前記管理サーバは、前記第２携帯電話に前記画像データを送信する送信部さらに有するものである。
【０００７】
請求項２に係る考案は、印刷されたＱＲコード（登録商標）が第１ユーザの意思に基づき第２ユーザに送られる場合において、第１ＱＲコード（登録商標）を用いて第１携帯電話を保持する前記第１ユーザが前記第１携帯電話に保存されている所望の動画データとリンクさせ、前記第１ＱＲコード（登録商標）と関係付けられて前記第１ユーザが所望する前記動画データを特定情報処理端末に保存させ、当該特定情報処理端末とアクセス可能な管理サーバであって、当該特定情報処理端末から前記動画データを受信する受信部と、前記受信した動画データを記憶する記憶部とを備え、前記第１ＱＲコード（登録商標）とは対となる前記印刷されたＱＲコードである第２ＱＲコード（登録商標）により第２携帯電話を保持する前記第２ユーザが前記第２携帯電話を用いて前記管理サーバにアクセスすることを可能とさせ、さらに、前記第２携帯電話に前記画像データを送信する送信部を備えたものである。
【考案の効果】
【０００８】
本考案によれば、印刷されたＱＲコード（登録商標）が第１ユーザの意思に基づき第２ユーザに送られる場合において、例えばプレゼントを贈るような特定の人と特定の人との関係において、第１ユーザ側の第１携帯電話に保存された動画が一対の第１ＱＲコード（登録商標）と第２ＱＲコード（印刷されたＱＲコード（登録商標）、例えばプレゼントとともに贈られるカードに印刷されたＱＲコード（登録商標）（登録商標））が用いられ、特定情報処理端末を介し、管理サーバの管理のもとで、第２ユーザ側の第２携帯電話に送信されるので、第２ユーザは、特定のユーザとして、特定のユーザである第１ユーザからの動画を閲覧できる。したがって、セキュリティが強化されるだけでなく、特定のユーザ間で、人と人との結び付きを考慮して嬉しさ・楽しさ・悲しさ・喜びなどの感情の元となる心を大切にしたシステムが実現できる。
【０００９】
また、従来の技術では、ＱＲコード（登録商標）を用いて情報にアクセスする場合には、ＵＲＬなどの情報が示され、アドレスといったサーバに関する情報が明らかになっていた。このようなサーバに関する情報を見ることができるとすると、通常は問題とはなり難いが、悪意のある者が存在する場合もあり得、サーバを管理している立場からすれば情報の漏洩といった問題も起こり得る。しかし、この点についても、本考案は特定情報処理端末から管理サーバへのアクセスの状態をコントロールすることで解決できる。
【００１０】
さらに、従来の技術では、管理されたサーバそのものに、閲覧が予定されている画像などのデータをダイレクトに入力して保存する形態にすると、なんらのチェックもなされず不適切な画像データも取り込まれる可能性があり、それが閲覧されてしまうことも起こり得る。さらに、悪意者によって、画像データが改変されてしまうリスクもある。しかし、この点についても、本考案は特定情報処理端末から管理サーバへのアクセスの状態をコントロールすることで解決できる。
【考案を実施するための最良の形態】
【００１１】
図１は、本考案の実施の形態に係る動画閲覧システムの全体を示すブロック図である。
【００１２】
動画閲覧システム１は、携帯電話機５と、ＱＲコード（登録商標）９と、特定情報処理端末の一例の専用端末１１と、専用端末１１との間でアクセスが可能な管理サーバ１３と、携帯電話機１５と、ＱＲコード（登録商標）９と一対となるＱＲコード（登録商標）１７とを、備える。管理サーバ１３は、専用端末１１から動画データ７を受信する受信部１３ａと、受信した動画データ７を記憶する記憶部１３ｂと、携帯電話機１５に動画データ７を送信する送信部１３ｃとを有している。
【００１３】
携帯電話機５は、友人などの特定の人（ユーザ）１９へ動画メッセージを送りたいと考えている人（ユーザ）３が持っているものである。ＱＲコード（登録商標）９は、携帯電話機５に保存されているメッセージ動画となる動画データ７とリンクさせるものである。ユーザ１９は、携帯電話機１５を持っており、その携帯電話機１５は動画を閲覧できる機能を有している。
【００１４】
専用端末１１は、ショップ２１内に設置され、その店員２３が専用端末１１を操作する。店員２３は、ユーザ３についてユーザ登録（或いは携帯電話機の端末登録）を行い、携帯電話機５内の動画データ７を専用端末１１に保存して確認する。その確認は、以下のようにして行われる。まず、店員２３は、専用端末１１に取り込んだ動画の動作状態を確認し、その動画データ７をＱＲコード（登録商標）９とリンクさせた状態で管理サーバ１３に送る。管理サーバ１３では、受信部１３が動画データ７を受信し、記憶部１３ｂが動画データ７を記憶する。そして、店員は、必要であれば、ユーザ３の保持する携帯電話機、ショップ２１に設置した携帯電話機、又は専用端末１１を利用して、ＱＲコード（登録商標）９と対となって管理サーバ１３の記憶部１３ｂの動画データ７へのアクセスが可能なＱＲコード（登録商標）１７を用いて、管理サーバ１３の記憶部１３ｂに記憶された動画データ７にアクセスして閲覧が可能か否かを確認する。このような確認のうえで、店員２３は、ＱＲコード（登録商標）９と対となって管理サーバ１３の記憶部１３ｂの動画データ７へのアクセスが可能なＱＲコード（登録商標）１７が印刷されたメッセージカード２５をプレゼント２０といっしょにユーザ１９に配送する。
【００１５】
なお、専用端末１１は、本サービスに必要なサービス以外は行わないように例えば市販のアプリケーションソフトなどは入れられておらず、後からも取り込みができないようにされている。また、店員２３により動画データ７が無断で改変されてしまうことがないように、動画データ７の編集作業も原則的として行われないように制限がかけられている。
【００１６】
プレゼント２０を受け取ったユーザ１９は、友人などのユーザ３から送られてきたこと自体に喜ぶ上に、ここでは、携帯電話機１５を用いてメッセージカード２５に印刷されたＱＲコード（登録商標）１７を読み取ることで、管理サーバ１３にアクセスできる。そして、記憶部１３ｂの動画データ７が送信部１３ｃから携帯電話機１５に送られ、ユーザ１９は、友人などのユーザ３からのメッセージ動画を閲覧でき、その喜びをさらに大きなものとして感じることができる。その結果、友人関係のように特定の人と特定の人との間のコミュニケーションを心が通じ合える形にできる。
【００１７】
なお、上記では、ＱＲコード（登録商標）は、ユーザ３側に渡されるＱＲコード（登録商標）９とユーザ１９に渡されるＱＲコード（登録商標）１７とを対とし、基本的に同じ情報内容を表すコードとしているが、必ずしも全く同一コードである必要はない。例えば、ユーザ３にとってはユーザ登録も関係しているからである。
【００１８】
また、上記では、ＱＲコード（登録商標）は、ユーザ３側に渡されるＱＲコード（登録商標）９とユーザ１９に渡されるＱＲコード（登録商標）１７とを対としているが、全く同一のものとしてユーザ１９側に送られる一つのＱＲコード（登録商標）のみとしてもよい。
【００１９】
さらに、上記では、ショップ２１を挙げてギフトショップのようなイメージとしたが、クリスマス・バレンタインデー・誕生日・冠婚葬祭などの行事の際など、百貨店・チョコレートショップなどの菓子店・花屋・式場との関係で利用される様々なショップであってもよく、孫から遠方に住む祖父母などに送る葉書や手紙にＱＲコード（登録商標）が印刷されるようなシステムでもよい。
【００２０】
さらに、上記実施の形態では、ＱＲコード（登録商標）との関係から携帯電話としたが、ＰＨＳのほか、パーソナルコンピュータ化が進んでおり、ＱＲコード（登録商標）の読み取り等の機能があれば、他のモバイル端末であってもよい。
【図面の簡単な説明】
【００２１】
【図１】本考案の実施の形態にかかる動画閲覧システムの全体を表すブロック図である。
【符号の説明】
【００２２】
１    動画閲覧システム
５    携帯電話機
９    ＱＲコード（登録商標）
１１    専用端末
１３    管理サーバ
１３ａ    受信部
１３ｂ    記憶部
１３ｃ    送信部
１５    携帯電話機
１７    ＱＲコード（登録商標）
【手続補正３】
【補正対象書類名】図面
【補正対象項目名】図１
【補正方法】変更
【補正の内容】
【図１】
0003149786.tif 000004